(57)【要約】【課題】広色域に対応したテストパターンを表示装置の表示部に表示すること。【解決手段】第１の色域の規格のカラーチャートのテストパターンと、第１の色域よりも広い第２の色域の規格のカラーチャートのテストパターンとをテレビジョン受像機３０に表示させる場合に適用される。このために、第１の色域の規格のカラーチャートの情報と、第２の色域の規格のカラーチャートの情報とを記録させる。そして、記録されたカラーチャートの情報に基づいて、各規格のカラーチャートを同一画面上に所定の配列で並べたテストパターンを表示させる映像信号を生成させ、その映像信号によりテレビジョン受像機３０にカラーチャートを表示させる。【選択図】図１
2008301452.tif 000002
【特許請求の範囲】
【請求項１】
第１の色域の規格のカラーチャートのテストパターンと、前記第１の色域よりも広い第２の色域の規格のカラーチャートのテストパターンとを表示装置に表示させる映像信号を出力するテストパターン信号生成装置であって、
前記第１の色域の規格のカラーチャートの情報と、前記第２の色域の規格のカラーチャートの情報とを記録するカラーチャート記録部と、
前記カラーチャート記録部に記録された情報に基づいて、前記各規格のカラーチャートを同一画面上に所定の配列で並べたテストパターンを表示させる映像信号を生成させるテストパターン信号生成部とを有することを特徴とする
テストパターン信号生成装置。
【請求項２】
請求項１記載のテストパターン信号生成装置において、
前記テストパターンは、前記表示装置に色毎にマトリックス表示され、前記第１の色域に対応するカラーチャートを表示する第１の領域と、前記第１の色域から正の方向に広げられた前記第２の色域のカラーチャートを表示する第２の領域と、前記第１の色域から負の方向に広げられた前記第２の色域のカラーチャートを表示する第３の領域とを含むことを特徴とする
テストパターン信号生成装置。
【請求項３】
請求項２記載のテストパターン信号生成装置において、
前記第２の領域に表示するカラーチャートの各色を、前記第１の色域から正の方向に広げる幅を調整する第１の調整部と、
前記第２の領域に表示するカラーチャートの各色を、前記第１の色域から負の方向に広げる幅を調整する第２の調整部と、を備えたことを特徴とする
テストパターン信号生成装置。
【請求項４】
第１の色域の規格のカラーチャートのテストパターンと、前記第１の色域よりも広い第２の色域の規格のカラーチャートのテストパターンとを表示装置に表示させる映像信号を出力するテストパターン信号生成方法であって、
前記第１の色域の規格のカラーチャートの情報と、前記第２の色域の規格のカラーチャートの情報とを記録させ、
前記されたカラーチャートの情報に基づいて、前記各規格のカラーチャートを同一画面上に所定の配列で並べたテストパターンを表示させる映像信号を生成させることを特徴とする
テストパターン信号生成方法。
【請求項５】
第１の色域の規格のカラーチャートのテストパターンと、前記第１の色域よりも広い第２の色域の規格のカラーチャートのテストパターンとを表示させる映像信号を作成して、その作成された映像信号を表示装置に表示させて、表示された色を測定する測色システムであって、
前記第１の色域の規格のカラーチャートの情報と、前記第２の色域の規格のカラーチャートの情報とを記録するカラーチャート記録部と、
前記カラーチャート記録部に記録された情報に基づいて、前記各規格のカラーチャートを同一画面上に所定の配列で並べたテストパターンを表示させる映像信号を生成させるテストパターン信号生成部と、
前記テストパターン信号生成部で生成された映像信号により前記表示装置で表示されたテストパターンの色情報を測色する測色部と、
前記測色部が測色した前記テストパターンの色情報を数値変換して解析する数値変換部とを備えることを特徴とする
測色システム。
【請求項６】
第１の色域の規格のカラーチャートのテストパターンと、前記第１の色域よりも広い第２の色域の規格のカラーチャートのテストパターンとを表示させる表示装置であって、
前記第１の色域の規格のカラーチャートの情報と、前記第２の色域の規格のカラーチャートの情報とを記録するカラーチャート記録部と、
前記カラーチャート記録部に記録された情報に基づいて、前記各規格のカラーチャートを同一画面上に所定の配列で並べたテストパターンを表示させる映像信号を生成させるテストパターン信号生成部と、
前記テストパターン信号生成部で生成された映像信号を表示させる表示部とを有することを特徴とする
表示装置。
【発明の詳細な説明】
【技術分野】
【０００１】
本発明は、例えば、xvＹＣＣ信号の色域で表現される色を表示するテストを行う場合に適用して好適なテストパターン信号生成装置、テストパターン信号生成方法、測色システム及び表示装置に関する。
【背景技術】
【０００２】
従来、映像データを受信して表示させる表示装置では、色表現能力を従来よりも向上させたものが開発されている。即ち、従来の表示装置が扱う映像データの色表現能力は、基本的には陰極線管（ＣＲＴ：Cathode Ray Tube）を表示手段として使用することを前提としており、その陰極線管で表現可能な色範囲を想定することによって、Ｒデータ，Ｇデータ，Ｂデータの原色データで表現可能な色範囲を設定してある。
【０００３】
一方、表示装置が使用される表示手段として、陰極線管よりも色表現範囲が優れたものが登場してきている。例えば、液晶ディスプレイの場合には、色表現範囲は、バックライトとして使用される光源の特性により色表現範囲が決まり、陰極線管よりも色表現範囲を広帯域化することが比較的容易に行える。
【０００４】
このような色表現範囲を広帯域化する表示装置が扱う映像データ（動画データ）の規格として、近年、xvＹＣＣ信号と称される規格が策定された。このxvＹＣＣ信号に準拠して表現された映像データを表示処理することで、色表現範囲を広帯域化した映像の表示が可能となる。なお、以下の説明では、従来の色表現範囲のＲ，Ｇ，Ｂデータについては、sＲＧＢ信号と称する。
【０００５】
ここで、図９と図１０を参照して、テレビジョン受像機やコンピュータ装置用モニタなどで表現可能な色範囲について説明する。
図９は、原色信号であるＲＧＢデータを入力して表示可能な表示装置において、立体（色空間）を投影したu’,v’色度図である。横軸がu’であり縦軸がv’である。このu’,v’色度図として示された図９において、自然界を代表する色の範囲が、外側の扇形形状で示されている。この図９中で、例えば３点Ｒｓ，Ｇｓ，Ｂｓで囲って示される３角形の範囲が、従来の映像信号で使われるＲＧＢデータで表現可能な色域である。この三角形の内部の色は、それぞれアナログ値の場合に、各原色ＲＧＢの値を０から１までの範囲の値で与えることにより、一意に決めることができる。このＲＧＢの３原色をどこにするかで、表示できる色域が決定されるが、その規格のひとつとして、ｓＲＧＢ規格がある。アナログ信号の場合に０から１までの範囲で表現される値は、デジタルの場合には、例えば８ビットで量子化された値で示されることになる。
【０００６】
従来は、表示手段として使用されていた陰極線管（ＣＲＴ）の蛍光体の特性から、ほぼ図９に示されるようなsＲＧＢ規格の頂点（３原色の色度点）Ｒｓ，Ｇｓ，Ｂｓと、テレビジョン受像機が表現可能な３原色点が一致していた。ところが、最近ＣＲＴ以外の各種ＦＰＤ（Flat Panel Display）、およびプロジェクタタイプのテレビジョン受像機が増え、テレビジョン受像機の再現できる色域がsＲＧＢ規格で規定された色域（「通常色域」とも称する。）の外側に広がってきて、より広い色域（「広色域」とも称する。）が再現可能になってきた。頂点Ｒｆ，Ｇｆ，Ｂｆで囲まれた図９に破線で示した色域の例は、xvＹＣＣ信号として映像データを構成させた場合に、表示可能な色域を示したものである。図９中に示した各点は、実際に存在した色度を示したものである。この図９から判るように、画像中には、sＲＧＢ信号で表現可能な色域を超えて、xvＹＣＣ信号の色域で表現可能な範囲の色となる場合が相当ある。
【０００７】
図１０は、xvＹＣＣ信号とsＲＧＢ信号の色域の関係を示した図である。縦軸が輝度信号Ｙ、横軸が色差信号Ｃｂ，Ｃｒである。xvＹＣＣ信号の規格では、図１０に示すように、sＲＧＢ信号と同じ原色点を用いつつ、一つの輝度信号Ｙと二つの色差信号Ｃｂ，Ｃｒで表現し、sＲＧＢ信号の色域を包含するよう規格化されている。図１０に示すように、sＲＧＢ信号としての領域は、菱形の領域で示され、xvＹＣＣ信号としての拡張領域が、その菱形のsＲＧＢ信号の周辺に設定されている。
【０００８】
特許文献１には、所定の規格よりも広色域の色を表現でき、かつ、所定の規格に準拠した装置で扱うことが可能な信号を提供できる信号処理装置について記載されている。
【特許文献１】特開２００６−３３５７５号公報
【発明の開示】
【発明が解決しようとする課題】
【０００９】
ところで、xvＹＣＣ信号で表現される色域を、テレビジョン受像機が正しく表示しているか否かを判断することは困難であった。例えば、テレビジョン受像機に表示できる色域は単色であったため、テストする色は１色ずつ表示しなければならなかった。
【００１０】
本発明はこのような状況に鑑みて成されたものであり、広色域に対応したテストパターンを表示装置に表示することを目的とする。
【課題を解決するための手段】
【００１１】
本発明は、第１の色域の規格のカラーチャートのテストパターンと、第１の色域よりも広い第２の色域の規格のカラーチャートのテストパターンとを表示装置に表示させる場合に適用される。このために、第１の色域の規格のカラーチャートの情報と、第２の色域の規格のカラーチャートの情報とを記録させる。そして、記録されたカラーチャートの情報に基づいて、前記各規格のカラーチャートを同一画面上に所定の配列で並べたテストパターンを表示させる映像信号を生成させ、その映像信号によりカラーチャートを表示させる。
【００１２】
このようにしたことで、通常色域の色信号に対応したテストパターンのみならず、広色域の色信号に対応したテストパターンを、表示装置に表示することが可能となった。
【発明の効果】
【００１３】
本発明によれば、テレビジョン受像機などの表示装置の表示パネルに表示するテストパターンによって、その表示パネルでの色表示が広色域まで行っているか否かを容易に判定できるという効果がある。
【発明を実施するための最良の形態】
【００１４】
以下、本発明の一実施の形態について、図１〜図７を参照して説明する。
【００１５】
図１は、本例のシステム構成例を示した図である。本例のシステムは、表示装置としてのテレビジョン受像機３０にテストパターンを表示するようにしたテストパターン表示システム１として構成してある。テストパターン表示システム１は、ソース側機器であるテストパターン信号生成装置１０と、シンク側機器であるテレビジョン受像機３０とを、コンポーネントケーブル２０で接続した構成としている。テストパターン信号生成装置１０は、カラーチャートに基づいて生成したテストパターン信号やテスト用の映像データを、テレビジョン受像機３０に伝送する。本例のテストパターン信号生成装置１０は、通常色域及び広色域のテストパターン信号を生成することができる構成としてあり、テレビジョン受像機３０は、広色域の映像を表示する処理が行える構成としてある。
【００１６】
本例の場合には、コンポーネントケーブル２０を使用して、原色信号であるＲデータとＧデータとＢデータをその伝送方式で伝送する。また、本例のテストパターン信号生成装置１０で扱う、通常色域の信号を、sＲＧＢ信号と称し、広色域の信号を、xvＹＣＣ信号と称する。sＲＧＢ信号で示される色域は、従来の映像信号規格などで従来から規定されている色域である。xvＹＣＣ信号は、これよりも広帯域の色域の規格として決められたものである。sＲＧＢ信号でのＲデータとＧデータとＢデータとして、データの値が０から１で各色の値を示すようにした場合、xvＹＣＣ信号でのＲデータとＧデータとＢデータについては、各色のデータが、０未満のマイナス値及び１を超える値になる場合もあり得る。この０未満のマイナス値及び１を越える値になる場合が、従来のsＲＧＢ信号で表現できない色域であることを示している。
【００１７】
まず、テストパターン信号生成装置１０について説明する。
テストパターン信号生成装置１０は、後述するカラーチャートに基づいて、テレビジョン受像機３０に表示させるテストパターン信号を生成することができる。後述するxvＹＣＣ評価チャート５０は、内蔵するハードディスクドライブ等であるカラーチャート記録部１４に記録される。各部を制御する制御部１５は、カラーチャート記録部１４からカラーチャートを読み出して、テストパターン生成部１１に供給する。テストパターン信号生成装置１０は、所定の係数を通常色域のパラメータに加えて正の広色域に対応したパラメータ調整を行うことが可能な第１の調整部１６と、所定の係数を通常色域のパラメータから減じて負の広色域に対応したパラメータ調整を行うことが可能な第２の調整部１７を備えている。第１の調整部１６と第２の調整部１７は、制御部１５を介してカラーチャート記録部１４に記録されたカラーチャートのパラメータを調整することができる。テストパターン信号生成部１１は、複数種類の色信号を含むテストパターン信号を生成し、このテストパターン信号がデジタル信号である場合には、デジタル・アナログ変換回路１２に供給し、アナログデータ化して、伝送処理する。
【００１８】
デジタル・アナログ変換回路１２で色毎にアナログ化したＲＧＢデータ、又はテストパターン信号生成部１１から既にアナログ化されて供給されたＲＧＢデータは、伝送処理部１８に供給される。伝送処理部１８は、各色のピクセルデータを個別のチャンネルに配置し、またピクセルクロックチャンネルや制御データチャンネルなども、それぞれ対応したクロックやデータとし、コンポーネント端子２１に接続されたコンポーネントケーブル２０に送出する。
【００１９】
コンポーネントケーブル２０は、テレビジョン受像機３０のコンポーネント端子２２に接続されている。
次に、テレビジョン受像機３０の構成について説明する。
テレビジョン受像機３０のコンポーネント端子２２に接続されたコンポーネントケーブル２０で伝送されたデータは、伝送処理部３１で、ピクセルクロックに同期して検出（受信）される。検出された各チャンネルのデータは、このテレビジョン受像機３０の制御部３６からの指示に基づいて、sＲＧＢ信号の色域の映像データと、sＲＧＢ信号の色域を超えた色域の映像データとを加算して、各色の１ピクセルあたり、１つの映像データとする。そして、加算された映像データを、アナログ・デジタル変換回路３２に供給して、各色のピクセルごとに個別のデジタル映像データＲD，ＧD，ＢDとする。変換されたデジタル映像データＲD，ＧD，ＢDは、表示処理部３３に供給する。表示処理部３３では、表示部として表示パネル４０を駆動する処理を行う。
【００２０】
また、テレビジョン受像機３０は、テストパターン信号生成装置１０に記録されるカラーチャートと同様のカラーチャートを記録するカラーチャート記録部４１と、カラーチャート記録部４１から読み出すカラーチャートに基づいてテストパターン信号を生成するテストパターン信号生成部４２を備える。このような構成によって、テレビジョン受像機３０のみでテストパターンを用いて表色テストを行うことが可能である。
【００２１】
本例のテストパターン信号生成装置１０は、音声データをテレビジョン受像機３０に供給することはないが、音声データが供給された場合、伝送処理部３１で分離され、音声処理部３４でアナログ変換などの音声処理が行われる。そして、処理された音声出力を出力処理部３５に供給して、スピーカ駆動用に増幅などの処理を行い、出力処理部３５に接続されたスピーカ３７，３８から出力させる。
【００２２】
次に、xvＹＣＣ評価チャートの例について、図２を参照して説明する。
図２に示すxvＹＣＣ評価チャート５０は、従来の色信号としてのsＲＧＢ信号と、正の広色域のxvＹＣＣ信号と、負の広色域のxvＹＣＣ信号からテストパターンを生成するため、テストパターン信号生成部１１が参照するカラーチャートである。
ここで、Ｒ・Ｇ・Ｂいずれかの値が１以上の広色域を「正の広色域」と称し、Ｒ・Ｇ・Ｂいずれかの値が０以下の広色域を「負の広色域」と称する。
【００２３】
xvＹＣＣ評価チャート５０は、正の広色域のxvＹＣＣ信号における各色の混色パラメータを定める第１の混色パラメータ領域５１を備える。第１の混色パラメータ領域５１には、テレビジョン受像機３０の表示パネル４０に表示させる色をＲ信号、Ｇ信号、Ｂ信号毎に定めている。ただし、ある色の彩度を高めて表示するため、通常色域の混色パラメータ領域５３で規定される通常色域の混色パラメータのうち、ゼロより大きい値のパラメータに第１の係数Ｋが加算された値としてある。例えば、表示パネル４０に広色域の黄色を出力するためには、ＲＧＢ信号の混色比率（Ｒ信号：Ｇ信号：Ｂ信号）を、（１＋Ｋ：１＋Ｋ：０）とすることが示される。
【００２４】
また、xvＹＣＣ評価チャート５０は、通常色域であるsＲＧＢ信号における各色の混色パラメータを定める通常色域の混色パラメータ領域５３を備える。通常色域の混色パラメータ領域５３には、テレビジョン受像機３０の表示パネル４０に表示させる色をＲ信号、Ｇ信号、Ｂ信号毎に定めている。例えば、表示パネル４０に通常色域の黄色を出力するためには、ＲＧＢ信号の混色比率（Ｒ信号：Ｇ信号：Ｂ信号）を、（１：１：０）とすることが示される。
【００２５】
また、xvＹＣＣ評価チャート５０は、負の広色域のxvＹＣＣ信号における各色の混色パラメータを定める第２の混色パラメータ領域５２を備える。第２の混色パラメータ領域５２にも、テレビジョン受像機３０の表示パネル４０に表示させる色をＲ信号、Ｇ信号、Ｂ信号毎に定めている。ただし、ある色の彩度を高めて表示するため、通常色域の混色パラメータ領域５３で規定される通常色域の混色パラメータのうち、ゼロに等しい値のパラメータに第２の係数Ｌが減算された値としてある。例えば、表示パネル４０に広色域の黄色を出力するためには、ＲＧＢ信号の混色比率（Ｒ信号：Ｇ信号：Ｂ信号）を、（１：１：−Ｌ）とすることが示される。
【００２６】
ここで、xvＹＣＣ評価チャート５０で定まる従来色域と広色域における色の表現範囲の例について、図３を参照して説明する。図３は、従来色域で表現可能な色に対して、彩度を高めることによって、広色域の色が表現可能となることを示す模式図である。
【００２７】
矢印Ａ方向（＋）は、通常色域の混色パラメータに対して、Ｒ・Ｇ・Ｂいずれかの値が１以上となるように、第１の係数Ｋを加算することによって、従来色域より彩度が高い正の広色域の色が表現されることを意味する。
矢印Ｂ方向（−）は、通常色域の混色パラメータに対して、Ｒ・Ｇ・Ｂいずれかの値が０以下となるように、第２の係数Ｌを減算することによって、従来色域より彩度が高い負の広色域の色が表現されることを意味する。
このように、xvＹＣＣ評価チャート５０で定まる混色パラメータによって、正負の広色域に属する色を表現することが可能となる。
【００２８】
図２及び図３に示すように、xvＹＣＣ評価チャート５０に含まれる第１の混色パラメータ領域５１には、通常色域の混色パラメータ領域５３においてＲＧＢ信号の混色比率がゼロより大きい値である場合に、この値に第１の係数Ｋを加えた混色パラメータが規定されている。同様に、第２の混色パラメータ領域５２には、通常色域の混色パラメータ領域５３においてＲＧＢ信号の混色比率がゼロに等しい値である場合に、ゼロから第２の係数Ｌを減じた混色パラメータが規定されている。
【００２９】
次に、xvＹＣＣ評価チャートに基づいて、表示パネル４０が表示するテストパターンの例について、図４を参照して説明する。
【００３０】
図４に示すテストパターン６０は、xvＹＣＣ評価チャート５０から生成されたテストパターン信号によって、白、黄、シアン、緑、マゼンタ、赤、青、黒の８色を横方向に表示する。表示パネル４０の全画面には、３行×８列の２４個の矩形状の領域をマトリックス表示する。
【００３１】
白色を表示する領域６１ｗｈ，黄色を表示する領域６１ｙｌ，シアン色を表示する領域６１ｃｙ，緑色を表示する領域６１ｇｒ，マゼンタ色を表示する領域６１ｍｇ，赤色を表示する領域６１ｒｄ，青色を表示する領域６１ｂｌ，黒色を表示する領域６１ｂｋは、xvＹＣＣ信号によって正の広色域を表示する領域である。これらの領域を、第１の帯領域７１と称する。
【００３２】
白色を表示する領域６２ｗｈ，黄色を表示する領域６２ｙｌ，シアン色を表示する領域６２ｃｙ，緑色を表示する領域６２ｇｒ，マゼンタ色を表示する領域６２ｍｇ，赤色を表示する領域６２ｒｄ，青色を表示する領域６２ｂｌ，黒色を表示する領域６２ｂｋは、sＲＧＢ信号によって通常色域を表示する領域である。これらの領域を、第２の帯領域７２と称する。
【００３３】
白色を表示する領域６３ｗｈ，黄色を表示する領域６３ｙｌ，シアン色を表示する領域６３ｃｙ，緑色を表示する領域６３ｇｒ，マゼンタ色を表示する領域６３ｍｇ，赤色を表示する領域６３ｒｄ，青色を表示する領域６３ｂｌ，黒色を表示する領域６３ｂｋは、xvＹＣＣ信号によって負の広色域を表示する領域である。これらの領域を、第３の帯領域７３と称する。
【００３４】
第１の帯領域７１は、第１の調整部１６によって第１の係数Ｋが調整され、人間が差を感じることができなくなるまで彩度の調整を行うことによって、正の広色域における彩度の限界値を認識することが出来る。
第３の帯領域７３は、第２の調整部１７によって第２の係数Ｌが調整され、人間が差を感じることができなくなるまで彩度の調整を行うことによって、負の広色域における彩度の限界値を認識することが出来る。
【００３５】
次に、xvＹＣＣ非対応のテレビジョン受像機が表示するテストパターンの例について、図５を参照して説明する。以下の図５〜図７で示すテストパターンの各領域の組合せは、図４で説明したテストパターンと同様である。
【００３６】
図５に示すxvＹＣＣ非対応のテレビジョン受像機では、正負の広色域を表示することはできない。このため、正の広色域に対応する第１の帯領域７１と、負の広色域に対応する第３の帯領域７３は、sＲＧＢ信号に対応する第２の帯領域７２と列方向に同じ彩度で表示する。
【００３７】
次に、xvＹＣＣ対応のテレビジョン受像機が表示するテストパターンの例について、図６を参照して説明する。
図６（ａ）は、正の広色域のxvＹＣＣ信号のみに対応したテレビジョン受像機に表示するテストパターンの例である。この場合、第２の帯領域７２に対して、第１の帯領域７１は、彩度を高めて表示する。第２の帯領域７２と第３の帯領域７３は、彩度に変化が生じない。
図６（ｂ）は、正及び負の広色域のxvＹＣＣ信号に対応したテレビジョン受像機に表示するテストパターンの例である。この場合、第２の帯領域７２に対して、第１の帯領域７１及び第３の帯領域７３は、彩度を高めて表示する。
図６（ｃ）は、負の広色域のxvＹＣＣ信号のみに対応したテレビジョン受像機に表示するテストパターンの例である。この場合、第２の帯領域７２に対して、第３の帯領域７３は、彩度を高めて表示する。第１の帯領域７１と第２の帯領域７２は、彩度に変化が生じない。
【００３８】
次に、xvＹＣＣ対応のテレビジョン受像機で表示するテストパターンの例について、図７を参照して説明する。
図７（ａ）は、第３の帯領域７３を通常色域に固定した状態として、正の広色域のxvＹＣＣ信号に対応したテレビジョン受像機に表示するテストパターンの例である。この場合、第３の帯領域７３に対して、第１及び第２の帯領域７２は、彩度を高めて表示する。
図７（ｂ）は、第１の帯領域７１を通常色域に固定した状態として、負の広色域のxvＹＣＣ信号に対応したテレビジョン受像機に表示するテストパターンの例である。この場合、第１の帯領域７１に対して、第２の帯領域７２と第３の帯領域７３は、彩度を高めて表示する。
【００３９】
以上説明した本実施の形態に係るテストパターン信号生成装置１０によれば、カラーチャートに基づいて、正負の広色域に属する色信号の情報を含むテストパターン信号をテレビジョン受像機３０に供給することができる。そして、テレビジョン受像機３０は、供給されたテストパターン信号に基づいて、表示パネル４０にテストパターンを表示することができる。このため、表示されたテストパターンより、正負の広色域を通常色域と並べた状態で、テレビジョン受像機３０が画像処理を広色域まで行っているか否かを容易に判定できるという効果がある。
【００４０】
また、表示パネル４０が表示するテストパターンは、表示パネル４０に色毎にマトリックス表示するパターンである。このため、隣り合う領域との色差が明確になるという効果がある。
【００４１】
また、正の広色域に対応するテストパターン信号をテレビジョン受像機３０に供給することによって、表示パネル４０には正の広色域の色を表示する。このため、彩度を高めた広色域の色を再現するテストが行えるという効果がある。
【００４２】
また、負の広色域に対応するテストパターン信号をテレビジョン受像機３０に供給することによって、表示パネル４０には負の広色域の色を表示する。このため、彩度を高めた広色域の色を再現するテストが行えるという効果がある。
【００４３】
また、表示パネル４０全画面に、通常色域と、正負の広色域の色を表示することができるため、一度に通常色域と、正負の広色域の表色テストが行える。このため、従来の表色テストに比べて、テスト時間が短縮されるという効果がある。
【００４４】
また、通常色域の混色パラメータに所定の係数を加減することによって、正負の広色域に対応するテストパターン信号を生成することができる。このときの係数の調整は、第１及び第２の調整部によって行うことが出来る。このため、簡単な操作によってテストパターン信号を容易に生成することが可能であり、装置の処理負荷が軽減されるという効果がある。
【００４５】
ここで、本発明の他の実施の形態について、図８を参照して説明する。
図８は、図１に示した表示パネル４０に表示されたテストパターンを計測し、計測データをグラフ化する機能を有する測色装置８０を備えた測色システム１００の構成例を示している。なお、図８において、既に説明した図１に対応する部分には同一符号を付す。
【００４６】
測色装置８０は、表示パネル４０に表示されたテストパターンを測色する測色部８１と、測色部８１が測色したデータを所定の数値データに変換して解析する数値変換部８２と、変換した数値データを記録する記録部８３と、測色装置８０内の各部を制御する制御部８４と、測色データを受け取り、グラフ又は測定値を表示する表示部８５とで構成される。
【００４７】
測色部８１は、表示パネル４０に表示されたテストパターンを構成する各領域の色を個別に測色する分光計が用いられる。ただし、ＣＣＤ（Charge-Coupled Devices）イメージャ、ＣＭＯＳ（Complementary Metal Oxide Semiconductor）イメージャ等を撮像素子に用いて表示パネル４０の全画面を撮像し、この撮像データを取り込むようにしてもよい。
【００４８】
数値変換部８２は、測色部８１が測色したアナログデータをデジタルデータに変換し、表示部８５にグラフ表示可能な形式で記録部８３に記録するとともに、表示部８５にグラフ表示する。このとき表示するグラフは、例えば折れ線グラフとする。なお、測色データは数値でそのまま表示することもある。この場合、例えば、u’,v’色度図で定まる点座標に対応して、測色したある色に関する（u’,v’）の値を、（0.2,0.4）として、羅列表示する。
記録部８３は、ハードディスクドライブ等の書き込み、読み出し可能な記録媒体を用いて構成される。
【００４９】
このような測色装置８０を備えることによって、表示パネル４０の表色テストを効率的に行うことが可能となる。このため、テレビジョン受像機３０が複数台存在する場合であっても、同じ条件で表色テストを行うことが容易となるという効果がある。
【００５０】
なお、テストパターンで示す通常色域の色信号としてsＲＧＢ信号を用いたが、他の方式による色信号を用いるようにしてもよい。
【００５１】
また、テストパターンで示される第１〜第３の帯領域７３の並び順は、表色テストの内容によって変えてよい。また、第１〜第３の帯領域７３のうち、２つの帯領域を抽出して、テストパターンとして用いてもよい。また、テストパターンとして表示パネル４０に表示する色の種類は、８種類に限定することなく、テストの内容に応じて増減すればよい。
【００５２】
また、カラーチャートは、装置内部のカラーチャート記録部１４に記録するようにしたが、外部の記録装置に記録したり、通信回線を通じてカラーチャートを受信したりするようにしてもよい。こうすることで、表色テストの内容に合わせて柔軟にカラーチャートを変更し、表示パネル４０に表示するテストパターンを変えることができる。
【００５３】
また、テストパターンは、表示パネル４０に全画面表示するようしたが、一部の画面のみに表示するようにしてもよい。また、テストパターンは、各色の領域を複数含むようにマトリックス表示するようにしたが、第１〜第３の帯領域７３に該当する位置にグラデーション表示することで、人間が視認することにより色の再現性を確認するようにしてもよい。
【００５４】
また、測色装置８０で測色した結果を、テストパターン生成装置１０に戻すフィードバック制御を行ってもよい。このフィードバック制御により、テストパターンを動的に変えるようにしてもよい。あるいは、テストパターン生成装置１０が戻された表示結果を記録するようにしてもよい。
【００５５】
また、xvＹＣＣ評価チャート５０において、正の広色域の混色パラメータを定めるために、通常色域の混色パラメータのうち、ゼロより大きい値のパラメータに第１の係数Ｋを加え、負の広色域の混色パラメータを定めるために、通常色域の混色パラメータのうち、ゼロに等しい値のパラメータから第２の係数Ｌを減ずるようにしたが、それぞれの係数は、通常色域の混色パラメータに乗じたり、除したりすることによって、正負の広色域の混色パラメータを規定してもよい。また、第１の係数Ｋの加算と、第２の係数Ｌの減算を同時に行うことによって、正負の広色域の混色パラメータを規定してもよい。例えば、赤の広色域の混色パラメータの混色比率として、（Ｒ信号：Ｇ信号：Ｂ信号）を、（１＋Ｋ：−Ｌ：−Ｌ）のように組み合わせて定めることが可能である。
【００５６】
また、テストパターン信号生成装置１０は、xvＹＣＣ評価チャート５０に基づいてテストパターン信号を生成するようにしたが、テストパターンが記録されたＪＰＥＧ（Joint Photographic Experts Group）等の静止画ファイル又はＭＰＥＧ（Moving Picture Experts Group）等の動画ファイルをテレビジョン受像機３０に供給するようにしてもよい。
【図面の簡単な説明】
【００５７】
【図１】本発明の一実施の形態におけるテストパターン信号生成装置とテレビジョン受像機の構成例を示すブロック図である。
【図２】本発明の一実施の形態におけるxvＹＣＣ評価チャートの例を示す説明図である。
【図３】本発明の一実施の形態におけるxvＹＣＣ評価チャートで定まる従来色域と広色域における色の表現範囲の例を示す説明図である。
【図４】本発明の一実施の形態におけるxvＹＣＣ評価チャートに基づいてテレビジョン受像機に表示するテストパターンの例を示す説明図である。
【図５】xvＹＣＣ非対応のテレビジョン受像機に表示するテストパターンの例を示す説明図である。
【図６】xvＹＣＣ対応のテレビジョン受像機に表示するテストパターンの例を示す説明図である。
【図７】帯領域を通常色域に固定した場合にテレビジョン受像機に表示するテストパターンの例を示す説明図である。
【図８】本発明の他の実施の形態における測色システムの構成例を示すブロック図である。
【図９】ディスプレイの表示可能領域と、sＲＧＢ信号で表現される色域との関係例を示す説明図である。
【図１０】sＲＧＢ信号とxvＹＣＣ信号の色域の関係を示す説明図である。
【符号の説明】
【００５８】
１…テストパターン表示システム、１０…テストパターン信号生成装置、１１…テストパターン信号生成部、１２…デジタル・アナログ変換回路、１６…第１の調整部、１７…第２の調整部、１５…制御部、１６…第１の調整部、１７…第２の調整部、１８…伝送処理部、２０…コンポーネントケーブル、２１，２２…コンポーネント端子、３０…テレビジョン受像機、３１…伝送処理部、３２…アナログ・デジタル変換回路、３３…表示処理部、３４…音声処理部、３５…出力処理部、３６…制御部、３７，３８…スピーカ、４０…表示パネル、５０…xvＹＣＣ評価チャート、５１…第１の混色パラメータ領域、５２…第２の混色パラメータ領域、５３…通常色域の混色パラメータ領域、６０…テストパターン、７１…第１の帯領域、７２…第２の帯領域、７３…第３の帯領域、８０…測色装置、８１…測色部、８２…数値変換部、８３…記録部、８４…制御部、８５…表示部、１００…測色システム
【図１】
2008301452.tif 000003
【図２】
2008301452.tif 000004
【図３】
2008301452.tif 000005
【図４】
2008301452.tif 000006
【図８】
2008301452.tif 000007
【図１０】
2008301452.tif 000008
【図５】
2008301452.tif 000009
【図６】
2008301452.tif 000010
【図７】
2008301452.tif 000011
【図９】
2008301452.tif 000012